(57)【要約】【課題】遊技盤面と並行に移動して液晶表示装置等を開閉するカーテン状、扉状の開閉部材に可動部品を搭載することにより装飾性を高めることを可能とした可動盤面部品を提供する。【解決手段】閉止位置と開放位置との間を伸縮しながら進退し且つ可動装飾体５０を搭載した扉部材３０、３１と、装飾体駆動機構６０と、扉駆動機構７０と、を備え、扉部材は、開閉方向と直交する方向へ延び且つ並行に配置された複数本の回転軸部材３５と、該回転軸部材と一体的に移動する保持部材４０と、を備え、装飾体駆動機構は、各回転軸部材に固定配置された従動ギヤ部材６１と、扉部材が閉止位置にある時に各従動ギヤ部材と噛合して駆動力を伝達する複数の駆動ギヤ部材６２と、各従動ギヤ部材に対して各駆動ギヤ部材を接離する接離機構６５と、を備えている。【選択図】図６
2011015737.tif 000002
【特許請求の範囲】
【請求項１】
閉止位置と開放位置との間を伸縮しながら進退し且つ可動装飾体を搭載した扉部材と、前記可動装飾体を駆動する装飾体駆動機構と、該扉部材を開閉方向に沿って伸縮進退させる扉駆動機構と、を備えた可動盤面部品であって、
前記扉部材は、前記開閉方向と直交する方向へ延び且つ並行に配置された複数本の回転軸部材と、該各回転軸部材を回転自在に軸支しつつ該回転軸部材と一体的に移動する保持部材と、該各回転軸部材の前記開閉方向への移動をガイドするガイド部材と、前記各回転軸部材に配置されて前記可動装飾体を構成する従動ギヤ部と噛合する駆動ギヤ部と、を備え、
前記可動装飾体は、前記従動ギヤ部を有すると共に、前記保持部材によって回転自在に軸支されており、
前記装飾体駆動機構は、前記各回転軸部材に固定配置された従動ギヤ部材と、前記扉部材が閉止位置にある時に前記各従動ギヤ部材と噛合して駆動力を伝達する複数の駆動ギヤ部材と、前記各従動ギヤ部材に対して前記各駆動ギヤ部材を接離する接離機構と、を備えていることを特徴とする可動盤面部品。
【請求項２】
前記装飾体駆動機構は、前記各回転軸部材の該軸方向一端部側に沿って配置された駆動軸部材と、該駆動軸部材に固定配置された前記駆動ギヤ部材と、を備え、
前記接離機構は、前記駆動軸部材を前記各回転軸部材の軸方向へ進退させて前記各従動ギヤ部材に対して前記各駆動ギヤ部材を接離することを特徴とする請求項１に記載の可動盤面部品。
【請求項３】
前記扉駆動機構は、前記扉部材を構成する複数本の回転軸部材のうちの閉止方向一端部に位置する前記回転軸部材を開閉駆動することにより、前記ガイド部材によって他の前記回転軸部材を連動して開閉させるように構成されていることを特徴とする請求項１、又は２に記載の可動盤面部品。
【請求項４】
前記扉駆動機構は、モータにより回転駆動されるピニオンギヤと、前記閉止方向一端部に位置する前記回転軸部材に固定されたラックギヤと、から構成されていることを特徴とする請求項１乃至３の何れか一項に記載の可動盤面部品。
【請求項５】
前記ガイド部材は、前記各保持部材によって支持された前記回転装飾体間を連結するリンク片から成るパンタグラフを含むことを特徴とする請求項１乃至４の何れか一項に記載の可動盤面部品。
【請求項６】
前記扉部材を一対備え、前記閉止位置では前記各扉部材の内端部が近接し、前記開放位置では前記各扉部材が最大開放位置にあることを特徴とする請求項１乃至５の何れか一項に記載の可動盤面部品。
【請求項７】
前記扉部材を構成する前記回転軸部材の一部を除去することにより、該扉部材の閉止時に開口部を形成するように構成したことを特徴とする請求項１乃至６の何れか一項に記載の可動盤面部品。
【請求項８】
請求項１乃至７の何れか一項に記載の可動盤面部品と、遊技盤と、を備えたことを特徴とする遊技盤ユニット。
【請求項９】
請求項８に記載の遊技盤ユニットを備えたことを特徴とするパチンコ遊技機。
【発明の詳細な説明】
【技術分野】
【０００１】
本発明は、遊技盤上の液晶表示面を開閉する開閉部材自体の装飾性を高めることによって、液晶表示装置による演出内容の多様性、演出効果を更に高めることを可能とした可動盤面部品、遊技盤ユニット、及びパチンコ遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、本出願人の提案に係る特許文献１には、遊技盤面上に設けた液晶表示装置の表示面を開閉する障子や扉を象った開閉部材を盤面と略平行な方向へ開閉、出没動作させることによって遊技進行上特徴的な演出効果を発揮させるようにした可動盤面部品が提案されている。この可動盤面部品においては、障子の下辺に固定したラックギヤをモータにより回転駆動されるピニオンギヤと噛合させることにより障子を左右（内外）方向へ直線的に進退させるように構成している。
【０００３】
しかし、従来は、障子や扉を象った比較的シンプルな装飾、構造の板状の開閉部材を使用しており、開閉部材自体に装飾性を付与したり、演出効果を多様に発揮させる構成を付与することは行われていなかった。このため、開閉部材による演出効果を高めることに限界があり、専ら開閉部材の背後にある液晶表示装置に表示される画像による演出を複雑、多様化して対応していた。
このように従来、液晶表示装置を開閉する開閉部材の構成がシンプル化せざるを得なかった理由は、遊技盤面という極限されたスペース内に配置される開閉部材に可動部品を搭載する等、複雑な構造を付与することが難しいというところにあった。
しかし、開閉部材自体に装飾部材としての多様性を付与して演出効果を発揮させることができれば、液晶表示装置上での画像演出との併用によって、遊技者による興趣を高めることができることは明かである。
【先行技術文献】
【特許文献】
【０００４】
【特許文献１】特願２００８−１８８６３２
【発明の概要】
【発明が解決しようとする課題】
【０００５】
以上のように、遊技盤面と並行に移動して液晶表示装置等を開閉するカーテン、扉状の開閉部材は、遊技盤の構造、スペース上の制限から、可動部品を搭載する等、構造を複雑化して装飾性を高めることが困難であった。
本発明は上記に鑑みてなされたものであり、遊技盤面と並行に移動して液晶表示装置等を開閉するカーテン状、扉状の開閉部材に可動部品を搭載することにより装飾性を高めることを可能とした可動盤面部品、遊技盤、及びパチンコ遊技機を提供することを目的としている。
【課題を解決するための手段】
【０００６】
上記目的を達成するため、請求項１の発明に係る可動盤面部品は、閉止位置と開放位置との間を伸縮しながら進退し且つ可動装飾体を搭載した扉部材と、前記可動装飾体を駆動する装飾体駆動機構と、該扉部材を開閉方向に沿って伸縮進退させる扉駆動機構と、を備えた可動盤面部品であって、前記扉部材は、前記開閉方向と直交する方向へ延び且つ並行に配置された複数本の回転軸部材と、該各回転軸部材を回転自在に軸支しつつこれと一体的に移動する保持部材と、該各回転軸部材の前記開閉方向への移動をガイドするガイド部材と、前記各回転軸部材に配置されて前記可動装飾体を構成する従動ギヤ部と噛合する駆動ギヤ部と、を備え、前記可動装飾体は、前記従動ギヤ部を有すると共に、前記保持部材によって回転自在に軸支されており、前記装飾体駆動機構は、前記各回転軸部材に固定配置された従動ギヤ部材と、前記扉部材が閉止位置にある時に前記各従動ギヤ部材と噛合して駆動力を伝達する複数の駆動ギヤ部材と、前記各従動ギヤ部材に対して前記各駆動ギヤ部材を接離する接離機構と、を備えていることを特徴とする。
扉部材を構成する回転軸部材はガイド部材によりガイドされつつ開閉方向へ伸縮移動するため、恰もカーテン（アコーディオンカーテン）が開閉動作するが如き印象を持たせることができる。また、各回転軸部材を回転自在に支持する保持部材には可動装飾体を可動な状態で支持する一方で、回転軸部材に設けた駆動ギヤ部を可動装飾体に設けた従動ギヤ部に噛合させているので、装飾体駆動機構によって回転軸部材を回転させることにより可動装飾体を回転させることができる。扉部材の骨格を構成する回転軸部材を利用して可動装飾体を駆動させるように構成したので、部品点数の増大、大型化を抑えつつ扉部材に可動装飾体を搭載することが可能となった。従って、遊技盤面に設けた液晶画面等を開閉する手段として利用することが可能となる。
【０００７】
請求項２の発明は、前記装飾体駆動機構は、前記各回転軸部材の該軸方向一端部側に沿って配置された駆動軸部材と、該駆動軸部材に固定配置された前記駆動ギヤ部材と、を備え、前記接離機構は、前記駆動軸部材を前記各回転軸部材の軸方向へ進退させて前記各従動ギヤ部材に対して前記各駆動ギヤ部材を接離することを特徴とする。
請求項３の発明は、前記扉駆動機構は、前記扉部材を構成する複数本の回転軸部材のうちの閉止方向一端部に位置する前記回転軸部材を開閉駆動することにより、前記ガイド部材によって他の前記回転軸部材を連動して開閉させるように構成されていることを特徴とする。
請求項４の発明は、前記扉駆動機構は、モータにより回転駆動されるピニオンギヤと、前記閉止方向一端部に位置する前記回転軸部材に固定されたラックギヤと、から構成されていることを特徴とする。
【０００８】
請求項５の発明は、前記ガイド部材は、前記各保持部材によって支持された前記回転装飾体間を連結するリンク片から成るパンタグラフを含むことを特徴とする。
請求項６の発明は、前記扉部材を一対備え、前記閉止位置では前記各扉部材の内端部が近接し、前記開放位置では前記各扉部材が最大開放位置にあることを特徴とする。
請求項７の発明は、前記扉部材を構成する前記回転軸部材の一部を除去することにより、該扉部材の閉止時に開口部を形成するように構成したことを特徴とする。
請求項８の発明に係る遊技盤ユニットは、請求項１乃至７の何れか一項に記載の可動盤面部品と、遊技盤と、を備えたことを特徴とする。
請求項９の発明に係るパチンコ遊技機は、請求項８に記載の遊技盤ユニットを備えたことを特徴とする。
【発明の効果】
【０００９】
本発明によれば、カーテン状、或いは扉状の開閉部材を伸縮しながら開閉する構造としたので、回転する可動装飾体を開閉部材に搭載することが可能となり、開放時に前後方向厚みが増大することもなく、コンパクトな構成とすることができる。
【図面の簡単な説明】
【００１０】
【図１】本発明に係る可動盤面部品を搭載したパチンコ遊技機の正面図である。
【図２】（ａ）及び（ｂ）は本発明の一実施形態に係る可動盤面部品の閉止状態及び開放状態を示す正面図である。
【図３】可動盤面部品の閉止状態を示す正面斜視図である。
【図４】閉止状態を示す背面斜視図である。
【図５】可動装飾体及びガイド部材の構成を示す分解斜視図である。
【図６】可動装飾体の要部構成を示す斜視図である。
【図７】可動装飾体、及び装飾体駆動機構の構成を示す斜視図である。
【図８】可動装飾体及びガイド部材の要部構成を示す分解斜視図である。
【図９】接離機構の要部構成を示す分解斜視図である。
【図１０】（ａ）乃至（ｃ）は接離機構の動作を説明するための断面図である。
【図１１】（ａ）乃至（ｃ）は接離機構の動作を説明するための断面図である。
【図１２】（ａ）及び（ｂ）は接離機構を駆動する機構の一例を示す斜視図である。
【図１３】扉駆動機構を中心とした周辺部の構成説明図である。
【発明を実施するための形態】
【００１１】
以下、本発明を図面に示した実施の形態により詳細に説明する。
図１は本発明に係る可動盤面部品を搭載したパチンコ遊技機の正面図である。
図１に示すパチンコ遊技機１は、矩形形状の枠２を有し、この枠２の窓孔に対して遊技盤３が着脱可能に取り付けられている。
遊技盤３の前面側には、図示しないガラス枠が開閉可能に取り付けられている。またガラス枠の下部には、遊技球を貯留する受け皿部４と、この受け皿部４内の遊技球を発射する発射レバー５等が設けられている。
受け皿部４の上面には、例えば遊技者自身に操作を行わせて遊技に対する参加感を演出する演出ボタン６が設けられている。また、図示しないが受け皿部４の上面には、遊技球の購入ボタン、購入取り消しボタン、受け皿部４内の遊技球を下方から外部に抜くための球抜きボタン等が設けられている。
遊技盤３の背面側には、可動盤面部品Ａ、画像表示手段である画像表示器１１が順次配置され、更に主制御基板とサブ制御基板等、遊技の進行、演出に関わる裏部品を組み付けた合成樹脂製の機構板（何れも図示せず）が開閉自在に装着されている。遊技盤３における遊技領域３ａの周囲には、外レールＲ１及び内レールＲ２が設けられている。これら外レールＲ１及び内レールＲ２は、発射レバー５を操作したときに発射装置から発射された遊技球を遊技領域３ａの上部に案内したり、アウト口１８に案内する。
【００１２】
画像表示器１１は、例えば、液晶表示装置等の液晶表示パネルにより構成され、通常動作状態の時は、特別図柄に応じた装飾図柄、例えば数字図柄、アルファベット図柄、キャラクター図柄等の画像が表示される。また、所謂リーチ状態や特別遊技状態の時は、それぞれの遊技状態であることを示す演出画像等も表示される。
画像表示器１１の下方には、可変入賞装置１２が配置されている。可変入賞装置１２は、上始動口１３と、左右一対の開閉爪（可動片）を有する電動式チューリップ（以下、「電チュー」と称する）１４とを備えて構成される。上始動口１３の内部には、特別図柄表示器２１の特別図柄を変動表示する権利を発生させる第１始動口スイッチ（ＳＷ）が設けられている。また電チュー１４の内部には、特別図柄表示器２２の特別図柄を変動表示する権利を発生させる第２始動口スイッチ（ＳＷ）が設けられている。なお、本実施形態では、上始動口１３と電チュー１４とにそれぞれ別々の始動口スイッチを設けるようにしているが、これはあくまでも一例であり始動口スイッチは共有してもよい。
【００１３】
また画像表示器１１の左側には、後述する普通図柄表示器２３を作動させるためのゲート１５が設けられている。ゲート１５は、その内部にゲートスイッチ（ＳＷ）が設けられており、遊技球がゲートＳＷを通過したときに、普通図柄表示器２３の普通図柄が所定時間作動して停止するようになっている。普通図柄表示器２３の普通図柄が所定態様で停止した場合は、電チュー１４が所定時間、開成動作するように構成されている。
可変入賞装置１２の下方には、特別遊技状態のときに開成状態になる大入賞装置の大入賞口１６が設けられている。
さらに遊技盤３の遊技領域３ａには、普通入賞口１７が設けられていると共に、風車や図示しない多数の遊技釘が突設されている。遊技釘は、遊技球の落下速度を遅くすると共に、落下方向を複雑に変化させて遊技進行上の興趣を高めている。
【００１４】
遊技盤３の右側下方の遊技領域外には、第１特別図柄の変動と表示を行う第１特別図柄表示器２１、第２特別図柄の変動と表示を行う第２特別図柄表示器２２、及び普通図柄の変動と表示を行う普通図柄表示器２３が設けられている。第１特別図柄表示器２１及び第２特別図柄表示器２２は、特別図柄を変動表示させ所定時間経過後に当該変動表示を静止させることにより当たりに当選したか否か表示する。
第１特別図柄保留ランプ２４は、第１特別図柄の変動表示を開始させる権利（保留球）の保留個数を表示する。第２特別図柄保留ランプ２５は、第２特別図柄の変動表示を開始させる権利の保留個数を表示する。なお、本実施形態では、第１特別図柄の保留球と、第２特別図柄の保留球が保留されている場合は、第２特別図柄の保留球を優先的に消化する場合を例に挙げて説明するが、保留球の入賞順に消化するように構成してもよい。
普通図柄保留ランプ２６は、普通図柄が変動中に遊技球がゲート１５を通過したときに、ゲート１５の通過によって得られる普通図柄の変動表示を開始させる権利（最大４個）の保留個数を表示する。なお、本実施形態では、第１、第２特別図柄表示器２１、２２、普通図柄表示器２３、第１、第２特別図柄保留ランプ２４、２５、及び普通図柄保留ランプ２６を、遊技盤３の遊技領域外に配置するようにしているが、これはあくまでも一例であり、これらの表示器を遊技盤３の遊技領域３ａ内に配置することも勿論可能である。
【００１５】
次に、図２（ａ）及び（ｂ）は本発明の一実施形態に係る可動盤面部品の閉止状態及び開放状態を示す正面図であり、図３は可動盤面部品の閉止状態を示す正面斜視図であり、図４は閉止状態を示す背面斜視図であり、図５は可動装飾体及びガイド部材の構成を示す分解斜視図であり、図６は可動装飾体の要部構成を示す斜視図であり、図７は可動装飾体、及び装飾体駆動機構の構成を示す斜視図であり、図８は可動装飾体及びガイド部材の要部構成を示す分解斜視図であり、図９は接離機構の要部構成を示す分解斜視図であり、図１０（ａ）乃至（ｃ）及び図１１（ａ）乃至（ｃ）は接離機構の動作を説明するための断面図であり、図１２（ａ）及び（ｂ）は接離機構を駆動する機構の一例を示す斜視図であり、図１３は扉駆動機構を中心とした周辺部の構成説明図である。
【００１６】
本発明に係る可動盤面部品Ａは、画像表示器１１の前面に配置されて閉止位置と開放位置との間を伸縮しながら進退し且つ可動装飾体５０を搭載した一対の扉部材３０、３１と、可動装飾体５０を駆動する装飾体駆動機構６０と、扉部材３０、３１を開閉方向（本例では、横方向）に沿って伸縮進退させる扉駆動機構７０と、を備えている。矩形枠体状のベース部材１００が可動盤面部品Ａを支持している。
扉部材３０、３１は、開閉方向と直交する方向（上下方向）へ延び且つ並行に配置された複数本の回転軸部材３５と、各回転軸部材３５を回転自在に軸支しつつ各回転軸部材と一体的に移動する保持部材４０と、各回転軸部材間（各保持部材間）を連結し且つ開閉方向への移動をガイドするガイド部材４５と、各回転軸部材に配置されて可動装飾体５０を構成する従動ギヤ部（笠歯車）５２と噛合する駆動ギヤ部（笠歯車）３６と、を備えている。
扉部材３０、３１は、閉止位置では各扉部材の内端部が近接し、開放位置では各扉部材が最大開放位置となるように構成されている。
扉部材３０、３１は、例えば遊戯中の常時においては画像表示器の液晶画面を隠しており、スーパーリーチになるとカーテン状に扉部材を開くように構成する。
【００１７】
本例に係る可動装飾体５０は、雪の結晶を象ったギミックであり、上下方向へ延びる細幅帯状の板部材から成る保持部材４０によって回転自在に軸支されている。即ち、可動装飾体５０は、雪の結晶を象った本体５１と、本体の背面中心部から突出する円筒状の突起５１ａに対して着脱自在に固定される従動ギヤ部（笠歯車）５２と、を有する。突起５１ａ或いは従動ギヤ部５２の軸部は、各保持部材４０に設けた丸穴４０ａによって回転自在に支持されているため、各保持部材４０上の可動装飾体５０の上下位置関係は一定に保持されている。各保持部材４０はその上下両端部に設けた軸支部によって各回転軸部材３５の上下端部を回転自在に軸支しており、回転軸部材３５の開閉方向への移動に追従して移動する。各回転軸部材３５（各保持部材４０）間は、パンタグラフ状のガイド部材４５によって伸縮自在に連結されている。
なお、開口部Ｏの上下位置にある保持部材４０は、同位置にある短尺な回転軸部材３５ａの各長さに併せて短尺となっている。
各保持部材４０は、図１３に示すように各回転軸部材３５の前後位置に一対配置されており、前後の保持部材４０Ａ、４０Ｂ間に差し渡された連設板４０Ｃに設けた穴によっても各回転軸部材３５が回転自在に軸支されている。
【００１８】
ガイド部材４５は、突起５１ａ或いは従動ギヤ部５２の軸部を遊嵌する長穴４６ａを有した細幅帯状の板部材である複数のリンク片４６をＸ字状に組み合わせたパンタグラフであり、リンク片４６の交差部はピン４６ｂによって軸支されており、各回転軸部材３５（各保持部材４０）間を伸縮自在に支持する。各保持部材４０の上下端部はベース部材１００によって開閉方向へ安定して開閉できるようにガイドされているため、ガイド部材４５が伸縮することにより各回転軸部材３５間の間隔を適正に維持しながら扉部材３０、３１を安定して開閉動作させることができる。
装飾体駆動機構６０は、各回転軸部材３５の少なくとも軸方向一端部寄り位置、本例では上下両端部に夫々配置されている。各装飾体駆動機構６０は、固定配置された従動ギヤ部材（笠歯車）６１と、扉部材が閉止位置にある時に各従動ギヤ部材６１と噛合して駆動力を伝達する複数の駆動ギヤ部材（笠歯車）６２と、複数の駆動ギヤ部材６２を固定的に支持した駆動軸部材６３を伝達ギヤ６４ａを介して回転駆動するモータ６４と、各従動ギヤ部材６１に対して各駆動ギヤ部材６２を接離する接離機構６５と、を備えている。
下側の装飾体駆動機構６０は、下側のモータ６４によって伝達ギヤ６４ａを介して駆動軸部材６３を回転させるための構成を備えている。各回転軸部材３５の軸方向下端部に沿って配置された下側の駆動軸部材６３は、両扉部材３０、３１の開閉方向全長に渡る長さを備えた一本の軸部材であり、その中間部をモータ６４によって駆動されることにより正逆回転駆動される。各扉部材３０、３１の開放動作時及び閉止動作時における各移動方向を左右逆方向とするため、扉部材３０に対応して設けられた従動ギヤ部材６１、及び駆動ギヤ部材６２と、扉部材３１に対応して設けられた従動ギヤ部材６１、及び駆動ギヤ部材６２とは、駆動軸部材６３が一方向に回転した時に夫々の回転方向が逆となるように各ギヤ部材の向きが設定されている。
下側の駆動軸部材６３は、長尺の回転軸部材３５と、下側の短尺な回転軸部材３５ａを一括して駆動させる手段である。
【００１９】
本実施形態に係る扉部材３０、３１は、夫々の内側端部に切欠き部を有し、これら切欠き部は閉止時に画像表示器１１の一部を露出させる開口部Ｏを形成するため、開口部Ｏの上下位置にある回転軸部材３５ａだけは短尺となっている。下側の短尺な回転軸部材３５ａは、下側の装飾体駆動機構６０を構成する下側の駆動軸部材６３によって回転駆動される。一方、上側の短尺な回転軸部材３５ａは上側のモータ６４の駆動力を上側の伝達ギヤ６４ａを介して上側の短尺な駆動軸部材６３に伝達することによって回転駆動される。つまり、上側のモータ６４は上側の短尺な回転軸部材３５ａを駆動するために設けられる。
なお、各扉部材３０、３１の突き合わせ部に開口部Ｏを設けない場合には、全ての回転駆動軸３５が長尺となるため、上方、又は下方に配置した一本の長尺な駆動軸部材６３のみによって全ての回転軸部材３５を開閉方向へ進退させることが可能となる。
【００２０】
図９乃至図１１に示した接離機構６５は、上下位置に夫々配置された各駆動軸部材６３を各回転軸部材３５の軸方向（上下方向）へ進退させて各従動ギヤ部材６１に対して各駆動ギヤ部材６２を接離するための手段である。各扉部材３０、３１を開閉動作している期間中は、従動ギヤ部材６１から駆動ギヤ部材６２を離間させることにより、扉部材の開閉移動をスムーズにする（図１０（ｃ）、図１１（ｃ））。即ち、図１０（ａ）、図１１（ａ）に示したように駆動軸部材６３が各回転軸部材３５の端部に近接した位置にある時に、各従動ギヤ部材６１と各駆動ギヤ部材６２とが噛合した状態にあり、駆動軸部材６３の回転駆動力が各回転軸部材３５に伝達される。一方、駆動軸部材６３が各回転軸部材３５の端部から離間した位置にある時に各従動ギヤ部材６１と各駆動ギヤ部材６２とが噛合していない状態にあり、駆動軸部材６３の回転駆動力は各回転軸部材３５に伝達されない。このように各従動ギヤ部材６１から各駆動ギヤ部材６２が離脱するため、各扉部材３０、３１を抵抗なく開閉動作させることができる。
【００２１】
上下位置に夫々設けられた接離機構６５は、ベース部材１００に設けた上下方向（回転軸部材３５の軸方向）へ延びる長穴１０１によって各駆動軸部材６３の適所を回転自在に支持する可動軸支部材１０２を上下動自在に支持した構成を備えている。長穴１０１は、上部に大径の丸穴１０１ａを備え、丸穴の下部から下方へ連通して延びる小径の長穴１０１ｂを有している。なお、丸穴１０１ａの周縁からは後方へ向けて庇状の円弧筒状部が突設している。可動軸支部材１０２を長穴１０１に沿って上下動させることにより、駆動軸部材６３は図１０（ａ）、図１１（ａ）に示した従動ギヤ部材６１と駆動ギヤ部材６２とが接触した状態と、離間した状態との間を移動することができる。本例では、可動軸支部材１０２に固定された筒状部材１０３を長穴１０１から後方へ突設すると共に、筒状部材１０３に対して軸方向へ進退移動する大径の作動部材１０４を組み付ける。この際、作動部材１０４の内部にバネ１０５を配置し、このバネ１０５を筒状部材１０３の端部に螺着したビス１０６、及びワッシャ１０７により抑える。このため、作動部材１０４は筒状部材１０３から脱落することなく軸方向へ進退する。
作動部材１０４の前部には小径の筒状部１０４ａが突設されており、この筒状部１０４ａは長穴１０１の上部に位置する大径の丸穴１０１ａと嵌合可能な直径を有している。また、筒状部１０４ａは長穴１０１の下部に位置する小径の長穴１０１ｂ内には嵌合できない。一方、筒状部材１０３は長穴下部の小径の長穴１０１ｂ内に嵌合できる直径を有している。つまり、筒状部材１０３は丸穴１０１ａと長穴１０１ｂとの間を単独で移動することができる。
【００２２】
図１０（ａ）及び図１１（ａ）は作動部材１０４がバネ１０５によって前方（長穴１０１内への嵌合方向）へ付勢された状態を示しており、この状態では各従動ギヤ部材６１と各駆動ギヤ部材６２とが噛合した状態を維持する。作動部材１０４が前方に位置している時には、その筒状部１０４ａが長穴の丸穴１０１ａ内に嵌合していて下方へ移動できないため、作動部材１０４の内部に支持された筒状部材１０３及び可動軸支部材１０２も上昇した位置で係止され続ける。
各従動ギヤ部材６１と各駆動ギヤ部材６２と噛合を解除させる場合には、図１０（ｂ）、図１１（ｂ）のように作動部材１０４をバネ１０５に抗して軸方向後方へ移動させることにより長穴１０１の丸穴１０１ａから作動部材１０４の筒状部１０４ａを離脱させる。この時、可動軸支部材１０２と一体の筒状部材１０３は、小径の長穴１０１ｂ内に移動可能な状態となっている。続いて図１０（ｃ）、図１１（ｃ）のように駆動軸部材６３を離脱方向（下方）へ移動させる。離脱状態にある駆動軸部材６３を図１０（ａ）、図１１（ａ）の駆動力伝達位置に移動させるためには、上記と逆の操作を行えばよい。
【００２３】
接離機構６５の動作を自動化するためには、まず作動部材１０４をバネ１０５に抗して後方へ引き出す動作を図示しないソレノイド、モータ等を用いて行う。次いで、例えば図１２に示した如きモータによる駆動機構１１０によって作動部材１０４を上下動させる。駆動機構１００は、モータ１１１の出力プーリ１１１ａからの駆動力をベルト１１２を介して受ける駆動プーリ１１３と、駆動プーリ１１３の偏心位置に設けたピン１１３ａにより一端を回転自在に軸支された長尺リンク片１１４と、長尺リンク片１１４の他端を回転自在に支持するピン１１５ａを偏心位置に設けた従動プーリ１１５と、長尺リンク片１１４の中間位置に設けられたピン１１４ａに一端を軸支された短尺リンク片１１６を介して連結された上下動部材１１７と、を備える。各短尺リンク片１１６の他端は上下動部材１１７に設けたピン１１７ａにより回動自在に軸支されている。また上下動部材１１７には作動部材１０４を遊嵌する長穴１１７ｂが設けられている。
以上の構成において、モータ１１１の駆動により出力プーリ１１１ａ、ベルト１１２を介して駆動プーリ１１３が一方向に回転駆動されると、ピン１１３ａ、１１５ａにより両端部を軸支された長尺リンク片１１４は図１２（ａ）（ｂ）のように上下動し、長尺リンク片１１４に対して短尺リンク片１１６を介して連結された上下動部材１１７が上下動する。このため、長穴１１７ｂ内に嵌合した作動部材１０４は上下動することができる。
【００２４】
次に、図１３に基づいて扉部材３０、３１を開閉方向（本例では、横方向）に沿って伸縮進退させる扉駆動機構７０について説明する。
扉駆動機構７０は、扉部材３０、３１を構成する複数本の回転軸部材３５のうちの閉止方向一端部（内側）に位置する回転軸部材を開閉駆動することにより、ガイド部材４５によって他の回転軸部材３５を連動して開閉させるように構成されている。
本実施形態に係る扉駆動機構７０は、モータ７１により回転駆動されるピニオンギヤ７２と、各扉部材３０、３１の閉止方向一端部（最内側端部）に位置する回転軸部材３５に夫々固定されたラックギヤ７３、７４と、から構成されている。最内側端部に位置する回転軸部材３５に固定された各ラックギヤ７３、７４を開閉することにより、ガイド部材４５を介して連結された残りの回転軸部材３５が連動して開閉動作する。
なお、各扉部材３０、３１の開閉動作を円滑化するために、扉駆動機構７０は上下に一個ずつ設けてもよい。
なお、上記実施形態では、２つの扉部材３０、３１を横方向へ開閉自在に支持することにより画像表示器１１を開閉させるように構成したが、一枚の扉部材を開閉移動させるように構成してもよい。また、扉部材の開閉方向は、上下方向、斜め方向、或いは他の方向であってもよい。
【００２５】
以上の構成を備えた本発明の可動装飾体Ａは、次のように動作する。
まず、接離機構６５が駆動軸部材６３を各回転軸部材３５の両端部から離間している場合に扉駆動機構７０を駆動すると、扉部材３０、３１はスムーズに開閉動作することができる。
扉部材３０、３１が図２（ａ）に示した閉止状態にある時に接離機構６５が駆動軸部材６３を各回転軸部材３５の両端部と近接させて駆動ギヤ部材６２を従動ギヤ部材６１と噛合させ、この状態で装飾体駆動機構６０（モータ６４）を駆動すると、各回転軸部材３５が回転し、駆動ギヤ部３６が従動ギヤ部５２を駆動する。このため、従動ギヤ部５２と一体化された可動装飾体５０を回転させることができる。
【００２６】
このように本発明では、扉部材を構成する回転軸部材３５はガイド部材４５によりガイドされつつ開閉方向へ伸縮移動するため、恰もカーテン（アコーディオンカーテン）が開閉動作するが如き印象を持たせることができ、これまでにない装飾性、演出を実現することが可能となる。また、各回転軸部材を回転自在に支持する保持部材４０には可動装飾体を可動な状態で支持する一方で、回転軸部材に設けた駆動ギヤ部を可動装飾体に設けた従動ギヤ部に噛合させているので、装飾体駆動機構６０によって回転軸部材を回転させることにより可動装飾体を回転させることができる。扉部材の骨格を構成する回転軸部材を利用して可動装飾体を駆動させるように構成したので、部品点数の増大、大型化を抑えつつ扉部材に可動装飾体を搭載することが可能となった。従って、限られたスペースを有した遊技盤面に設けた場合においても設置スペースを増大させたり、前後方向への突出量を増大させることなく、遊技盤面に設けた液晶画面等を開閉する開閉手段として利用することが可能となる。
本発明に係る可動盤面品Ａを遊技盤３に組み込むことにより遊技盤ユニットが構成される。この遊技盤ユニットは、パチンコ遊技機に適用することができる。
【符号の説明】
【００２７】
１：パチンコ遊技機、３：遊技盤、３ａ：遊技領域、４：皿部、５：発射レバー、６：演出ボタン、１１：画像表示器、１２：可変入賞装置、１３：上始動口、１４：電チュー、１５：ゲート、１６：大入賞口、１７：普通入賞口、１８：アウト口、２１：特別図柄表示器、２２：特別図柄表示器、２３：普通図柄表示器、２４：特別図柄保留ランプ、２５：特別図柄保留ランプ、２６：普通図柄保留ランプ、３０、３１：各扉部材、３５：回転軸部材、３５ａ：回転軸部材、３６：駆動ギヤ部、４０：保持部材、４０Ａ、４０Ｂ：保持部材、４０Ｃ：連設板、４０ａ：丸穴、４５：ガイド部材、４６：リンク片、４６ａ：長穴、４６ｂ：ピン、５０：可動装飾体、５１：本体、５１ａ：突起、５２：従動ギヤ部、６０：装飾体駆動機構、６１：従動ギヤ部材、６２：駆動ギヤ部材、６３：駆動軸部材、６４：モータ、６４ａ：伝達ギヤ、６５：接離機構、７０：扉駆動機構、７１：モータ、７２：ピニオンギヤ、７３、７４：ラックギヤ、１００：ベース部材、１００：駆動機構、１０１：長穴、１０２：可動軸支部材、１０３：筒状部材、１０４：作動部材、１０５：バネ、１０６：ビス、１０７：ワッシャ、１１０：駆動機構、１１１：モータ、１１１ａ：出力プーリ、１１２：ベルト、１１３：駆動プーリ、１１３ａ：ピン、１１４：長尺リンク片、１１４ａ：ピン、１１５：従動プーリ、１１５ａ：ピン、１１６：短尺リンク片、１１７：上下動部材、１１７ａ：ピン、１１７ｂ：長穴
【図１】
2011015737.tif 000003
【図２】
2011015737.tif 000004
【図３】
2011015737.tif 000005
【図４】
2011015737.tif 000006
【図５】
2011015737.tif 000007
【図６】
2011015737.tif 000008
【図７】
2011015737.tif 000009
【図８】
2011015737.tif 000010
【図９】
2011015737.tif 000011
【図１０】
2011015737.tif 000012
【図１１】
2011015737.tif 000013
【図１２】
2011015737.tif 000014
【図１３】
2011015737.tif 000015